(57)【要約】【課題】  移動通信端末装置における実行機能の選択を簡易に行う。【解決手段】  センサユニット２５が、携帯電話装置の加速度を検出する。引き続き、加速度データ処理部３３Ａが、検出された加速度に基づいて、携帯電話装置が非加速状態から加速状態になったことを検出する。加速状態となったことが検出された場合には、機能選択部３６Ａが、機能配列記憶領域２４Ｆにおける表示切換順序に従って、次の候補機能の実行開始時の初期画面を表示部１３に表示させる。そして、初期画面が表示中である候補機能を実行機能として選択するキー入力が操作部１２においてなされると、機能選択アプリケーション３２Ａの処理が終了する。【選択図】  図３
2008010933.tif 000002
【特許請求の範囲】
【請求項１】
移動通信端末装置が実行する機能を、複数の候補機能を含む特定機能群の中から選択する実行機能選択方法であって、
前記特定機能群の中から実行機能を選択可能な状態である特定機能選択可能状態にあるときに、前記移動通信端末装置の運動を検出する運動検出工程と；
前記運動検出工程における検出結果が、予め定められた運動条件を満たすか否かを判定する条件判定工程と；
前記判定の結果が肯定的であった場合に、前記特定機能選択可能状態を維持しつつ、表示切換順序に従って、前記特定機能群における次の候補機能が実行された場合の初期画面を表示する表示切換工程と；
前記初期画面の表示中に前記次の候補機能を前記実行機能として選択する操作が行われたときに、前記特定機能選択可能状態を解除し、前記次の候補機能を実行する機能実行工程と；を備える実行機能選択方法。
【請求項２】
前記運動検出工程では、前記移動通信端末装置の加速度を検出し、前記運動条件は、前記運動検出工程において検出された加速度の大きさが所定値を超えたことである、ことを特徴とする請求項１に記載の実行機能選択方法。
【請求項３】
前記運動検出工程では、前記移動通信端末装置の姿勢を検出し、前記運動条件は、前記運動検出工程において検出された姿勢が、所定姿勢範囲の内側から外側に変化したことである、ことを特徴とする請求項１に記載の実行機能選択方法。
【請求項４】
前記運動条件には複数の条件が含まれ、前記複数の運動条件ごとに表示切換順序が定められている、ことを特徴とする請求項１に記載の実行機能選択方法。
【請求項５】
前記複数の条件は、第１方向に関する前記移動通信端末装置の加速度の大きさが所定値を上回ることである第１条件と、前記第１方向の逆方向である第２方向に関する前記移動通信端末装置の加速度の大きさが前記所定値を上回ることである第２条件とを含み、前記第１条件に対応して定められた表示切換順序は、前記第２条件に対応して定められた表示切換順序と逆の順序である、ことを特徴とする請求項４に記載の実行機能選択方法。
【請求項６】
前記複数の条件は、第１回転方向について前記移動通信端末装置の姿勢が所定姿勢範囲の内側から所定姿勢範囲の外側に変化したことである第１条件と、前記第１回転方向の逆方向である第２回転方向について前記移動通信端末装置の姿勢が所定姿勢範囲の内側から外側に変化したことである第２条件とを含み、前記第１条件に対応して定められた表示切換順序は、前記第２条件に対応して定められた表示切換順序と逆の順序である、ことを特徴とする請求項４に記載の実行機能選択方法。
【請求項７】
前記所定姿勢範囲は、前記移動通信端末装置の表示部に対する表示縦軸及び表示横軸の少なくとも一方の軸回りの基準姿勢からの回転角が所定回転角以下の範囲である、ことを特徴とする請求項３又は６に記載の実行機能選択方法。
【請求項８】
前記基準姿勢は、前記表示部の表示面が水平となる姿勢である、ことを特徴とする請求項７に記載の実行機能選択方法。
【請求項９】
前記表示切換順序は、利用者の使用頻度に応じて当該順序を変更させることができることを特徴とする、請求項１〜８のいずれか１項に記載の実行機能選択方法。
【請求項１０】
画像を表示する表示手段と；
運動を検出する運動検出手段と；
特定機能群の中から実行機能を選択可能な状態である特定機能選択可能状態にあるときに、前記運動検出手段における検出結果が、予め定められた運動条件を満たすか否かを判定する判定手段と；
前記判定の結果が肯定的であった場合に、前記特定機能選択可能状態を維持しつつ、表示切換順序に従って、前記特定機能群における次の候補機能が実行された場合の初期画面を表示させるとともに、前記初期画面の表示中に前記次の候補機能を前記実行機能として選択する操作である実行機能選択操作が行われたときに、前記特定機能選択可能状態を解除する機能選択制御手段と；を備える移動通信端末装置。
【請求項１１】
前記運動検出手段は、前記移動通信端末装置の加速度を検出し、
前記運動条件は、前記運動検出手段において検出された加速度の大きさが所定値を超えたことである、ことを特徴とする請求項１０に記載の移動通信端末装置。
【請求項１２】
前記運動検出手段は、前記移動通信端末装置の姿勢を検出し、
前記運動条件は、前記運動検出手段において検出された姿勢が、所定姿勢範囲の内側から外側に変化したことである、ことを特徴とする請求項１０に記載の移動通信端末装置。
【請求項１３】
前記運動条件には複数の条件が含まれ、前記複数の条件ごとに表示切換順序が定められている、ことを特徴とする請求項１０に記載の移動通信端末装置。
【請求項１４】
前記複数の条件は、第１方向に関する前記移動通信端末装置の加速度の大きさが所定値を上回ることである第１条件と、前記第１方向の逆方向である第２方向に関する前記移動通信端末装置の加速度の大きさが前記所定値を上回ることである第２条件とを含み、
前記第１条件に対応して定められた表示切換順序は、前記第２条件に対応して定められた表示切換順序と逆の順序である、ことを特徴とする請求項１３に記載の移動通信端末装置。
【請求項１５】
前記複数の条件は、第１回転方向について前記移動通信端末装置の姿勢が所定姿勢範囲の内側から所定姿勢範囲の外側に変化したことである第１条件と、前記第１回転方向の逆方向である第２回転方向について前記移動通信端末装置の姿勢が所定姿勢範囲の内側から外側に変化したことである第２条件とを含み、
前記第１条件に対応して定められた表示切換順序は、前記第２条件に対応して定められた表示切換順序と逆の順序である、ことを特徴とする請求項１３に記載の移動通信端末装置。
【請求項１６】
操作情報を入力するための複数のキーを有するキー入力手段を更に備え、
前記実行機能選択操作には、前記キー入力手段を利用したキー入力操作が含まれる、ことを特徴とする請求項１０〜１５のいずれか１項に記載の移動通信端末装置。
【発明の詳細な説明】
【技術分野】
【０００１】
本発明は、実行機能選択方法及び移動通信端末装置に係り、より詳しくは、移動通信端末装置が実行する機能を、複数の候補機能を含む特定機能群の中から選択する実行機能選択方法、及び、当該実行機能選択方法を使用する移動通信端末装置に関するものである。
【背景技術】
【０００２】
従来から、携帯電話装置等の移動通信端末装置が広く普及している。近年においては、移動通信端末装置は、通話機能、電子メール通信機能、ブラウザ機能等の通信機能を初めとして、内部の記憶部に格納されたプログラムを実行することにより、様々な機能を果たすことができるようになっている。
【０００３】
こうした移動通信端末装置において特定の機能を選択して実行させるには、パーソナルコンピュータ等の場合と同様に、表示部に表示された展開可能実行ファイルや文書ファイル等のアイコンを選択する方法が、一般的に用いられている（以下、「従来例」という）。この方法では、まず、表示部に展開可能な実行ファイルや文書ファイル等のアイコンを表示する。引き続き、利用者がマウス等の入力デバイスを操作して、展開するファイルのアイコンを選択することにより当該ファイルの展開指令を行う。そして展開指令されたファイルの展開に対応するプログラムの実行を行う。
【発明の開示】
【発明が解決しようとする課題】
【０００４】
上述した従来例の技術は、所望の機能の実行指令を、キーボード等のストロークデバイスを操作してテキスト入力する場合よりも簡易に行えるという観点からは優れた技術である。しかしながら、従来例の技術は、十分に大きな表示面を有する表示部と、キーボードやマウスを標準的に装備するパーソナルコンピュータ等に整合した技術である。
【０００５】
携帯電話装置等の移動通信端末装置のように、通常は、マウス等のポインティングデバイスを装備しておらず、小さなキーが配列されたキーボードのみが装備されている場合には、所望の機能を実行させるためには、小さなキーを相当回数操作することが必要となる。また、携帯電話装置等の移動通信端末装置のように、小さな表示面しか利用できない場合には、展開可能な実行ファイルや文書ファイルの一部しか、ファイル種別を視認できるアイコンを表示することができない。このため、現在表示されている表示内容に実行させようとしている機能に対応するファイルのアイコンが存在していない場合には、表示内容を切り換えることが必要となる。こうした表示内容の切り換えにも、移動通信端末装置が装備している操作入力部における小さなキーを操作することになるが、小さなキーを、場合によっては多数回操作することが必要であった。
【０００６】
本発明は、上記の事情を鑑みてなされたものであり、移動通信端末装置における実行機能の選択を簡易に行うことができる実行機能選択方法を提供することを目的とする。
【０００７】
また、本発明は、実行機能の選択を簡易に行うことができる移動通信端末装置を提供することを目的とする。
【課題を解決するための手段】
【０００８】
本発明は、第１の観点からすると、移動通信端末装置が実行する機能を、複数の候補機能を含む特定機能群の中から選択する実行機能選択方法であって、前記特定機能群の中から実行機能を選択可能な状態である特定機能選択可能状態にあるときに、前記移動通信端末装置の運動を検出する運動検出工程と；前記運動検出工程における検出結果が、予め定められた運動条件を満たすか否かを判定する条件判定工程と；前記判定の結果が肯定的であった場合に、前記特定機能選択可能状態を維持しつつ、表示切換順序に従って、前記特定機能群における次の候補機能が実行された場合の初期画面を表示する表示切換工程と；前記初期画面の表示中に前記次の候補機能を前記実行機能として選択する操作が行われたときに、前記特定機能選択可能状態を解除し、前記次の候補機能を実行する機能実行工程と；を備える実行機能選択方法である。
【０００９】
この実行機能選択方法では、複数の候補機能を含む特定機能群の中から実行機能を選択可能な状態である特定機能選択可能状態にあるときに、運動検出工程において、移動通信端末装置の運動が検出される。引き続き、条件判定工程において、運動検出工程における検出結果が、予め定められた運動条件を満たすか否かが判定される。
【００１０】
判定の結果が肯定的であった場合には、特定機能選択可能状態を維持しつつ、表示切換工程において、表示切換順序に従って、特定機能群における次の候補機能が実行された場合の初期画面が表示される。この初期画面の表示中に当該候補機能を実行機能として選択する操作が行われたときには、実行状態遷移工程において、特定機能選択可能状態が解除され、当該次の候補機能が実行される。
【００１１】
このため、予め定められた運動条件を満たす運動を移動通信端末装置にさせる操作、及び、例えば１回のキー押下のような実行機能として選択する操作（以下、「選択決定操作」ともいう）という簡単な操作を行うことにより、所望の機能を選択して実行させることができる。したがって、本発明の実行機能選択方法によれば、移動通信端末装置における実行機能の選択を簡易に行うことができる。
【００１２】
本発明の実行機能選択方法では、前記運動検出工程において、前記移動通信端末装置の加速度を検出し、前記運動条件は、前記運動検出工程において検出された加速度の大きさが所定値を超えたことである、とすることができる。
【００１３】
この場合には、運動検出工程において、移動通信端末装置の加速度が検出される。引き続き、条件判定工程において、当該検出された加速度の大きさが所定値を超えたか否かが判定される。ここで、当該所定値は、操作性の観点から、実験や経験によって定められる。なお、所定値は予め固定的に設定されるようにしてもよく、利用者が自ら設定可能としてもよい。
【００１４】
条件判定工程における判定の結果が肯定的であった場合には、表示切換工程において、特定機能選択可能状態を維持しつつ、表示切換順序に従って、特定機能群における次の候補機能が実行された場合の初期画面が表示される。よって、利用者は、移動通信端末装置を所定値を超える加速度にて動かすという簡易な操作を行うことにより、選択決定操作により実行開始する機能の初期画面を、表示切換順序に従って順次表示させることができる。
【００１５】
本発明の実行機能選択方法では、前記運動検出工程において、前記移動通信端末装置の姿勢を検出し、前記運動条件は、前記運動検出工程において検出された姿勢が、所定姿勢範囲の内側から外側に変化したことである、とすることができる。
【００１６】
ここで、「姿勢が所定姿勢範囲の内側」にあるとは、例えば、所定姿勢範囲が−１０°以上、１０°以下の場合には、移動通信端末装置の傾き角をθとしたときに、−１０°≦
θ≦１０°を満たす場合を言う。また、「姿勢の値が所定姿勢範囲の外側」にあるとは、例えば、所定姿勢範囲が−１０°以上、１０°以下の場合には、移動通信端末装置の傾き角をθとしたときに、θ＜−１０°、又は、θ＞１０°を満たす場合を言う。本明細書においては、この意味で、「姿勢範囲の内側」及び「姿勢範囲の外側」の用語を用いるものとする。
【００１７】
この場合には、運動検出工程において、移動通信端末装置の姿勢が検出される。引き続き、条件判定工程において、移動通信端末装置の姿勢が所定姿勢範囲の内側から外側に変化したことが検出されたか否かが判定される。当該判定の結果が肯定的であった場合には、表示切換工程において、特定機能選択可能状態を維持しつつ、表示切換順序に従って、特定機能群における次の候補機能が実行された場合の初期画面が表示される。よって、利用者は、移動通信端末装置の姿勢を所定姿勢範囲の内側から外側に変化させるという簡易な操作を行うことにより、選択決定操作により実行開始する機能の初期画面を、表示切換順序に従って順次表示させることができる。
【００１８】
本発明における実行機能選択方法では、前記条件判定工程における前記運動条件には、複数の条件が含まれ、前記複数の運動条件ごとに表示切換順序が定められている、とすることができる。この場合には、様々な表示順序で、選択決定操作により実行開始する機能の初期画面を、順次表示させることができる。
【００１９】
ここで、前記運動条件における前記複数の条件は、第１方向に関する前記移動通信端末装置の加速度の大きさが所定値を上回ることである第１条件と、前記第１方向の逆方向である第２方向に関する前記移動通信端末装置の加速度の大きさが前記所定値を上回ることである第２条件とを含み、前記第１条件に対応して定められた表示切換順序は、前記第２条件に対応して定められた表示切換順序と逆の順序である、とすることができる。
【００２０】
また、前記運動条件における前記複数の条件は、第１回転方向について前記移動通信端末装置の姿勢が所定姿勢範囲の内側から所定姿勢範囲の外側に変化したことである第１条件と、前記第１回転方向の逆方向である第２回転方向について前記移動通信端末装置の姿勢が所定姿勢範囲の内側から外側に変化したことである第２条件とを含み、前記第１条件に対応して定められた表示切換順序は、前記第２条件に対応して定められた表示切換順序と逆の順序である、とすることができる。
【００２１】
こうした場合には、例えば、第１条件を満たす操作を繰り返した結果、所望の機能を通り過ぎてしまった場合、第２条件を満たす操作を行うことにより、迅速に所望の機能を選択することができる。
【００２２】
運動条件として、姿勢が所定姿勢範囲の内側から外側に変化したことを採用する場合には、前記所定姿勢範囲は、前記移動通信端末装置の表示部に対する表示縦軸及び表示横軸の少なくとも一方の軸回りの基準姿勢からの回転角が所定回転角以下の範囲である、とすることができる。ここで、前記基準姿勢は、前記表示部の表示面が水平となる姿勢であるとすることができる。
【００２３】
本発明の実行機能選択方法では、前記表示切換順序は、利用者の使用頻度に応じて当該順序を変更させることができるとすることができる。この場合には、使用頻度が高い機能を、表示順序の先頭側とすることにより、所望の機能の選択までの平均的な操作回数を低減することができる。これにより、様々な機能を搭載するようになった移動通信端末装置ではあるが、利用者が頻繁に使う機能は、電子メール作成やアドレス帳の呼び出し等の、ごく一部に集中する傾向にあることに適切に対応することができる。
【００２４】
本発明は、第２の観点からすると、実行する機能を複数の候補機能を含む特定機能群の中から選択できる実行機能選択方法を有し、画像を表示する表示手段と；運動を検出する運動検出手段と；特定機能群の中から実行機能を選択可能な状態である特定機能選択可能状態にあるときに、前記運動検出手段における検出結果が、予め定められた運動条件を満たすか否かを判定する判定手段と；前記判定の結果が肯定的であった場合に、前記特定機能選択可能状態を維持しつつ、表示切換順序に従って、前記特定機能群における次の候補機能が実行された場合の初期画面を表示させるとともに、前記初期画面の表示中に前記次の候補機能を前記実行機能として選択する操作である実行機能選択操作が行われたときに、前記特定機能選択可能状態を解除する機能選択制御手段と；を備える、移動通信端末装置である。
【００２５】
この移動通信端末装置では、運動検出手段が移動通信端末装置の運動を検出する。引き続き、判定手段が、特定機能選択可能状態にあるときに、運動検出手段によって検出された結果が予め定められた運動条件を満たすか否かを判定する。この判定の結果が肯定的であった場合には、機能選択制御手段が、特定機能選択可能状態を維持しつつ、表示切換順序に従って、特定機能群における次の候補機能が実行された場合の初期画面を表示させる。そして、当該初期画面の表示中に、次の候補機能を前記実行機能として選択する操作である実行機能選択操作が行われたときには、機能選択制御手段が、特定機能選択可能状態を解除する。すなわち、本発明の移動通信端末装置は、上述した本発明の実行機能選択方法を使用して、実行機能を選択することができる。したがって、本発明の移動通信端末装置によれば、実行機能の選択を簡易に行うことができる。
【００２６】
本発明の移動通信端末装置では、前記運動検出手段は前記移動通信端末装置の加速度を検出し、前記運動条件は、前記運動検出手段において検出された加速度の大きさが所定値を超えたことである、とすることができる。
【００２７】
この場合には、運動検出手段は、移動通信端末装置の加速度を検出する。引き続き、判定手段は、当該検出された加速度の大きさが所定値を超えたか否かを判定する。当該判定の結果が肯定的であった場合には、機能選択制御手段が、特定機能選択可能状態を維持しつつ、表示切換順序に従って、特定機能群における次の候補機能が実行された場合の初期画面を表示させる。よって、利用者は、移動通信端末装置を所定値を超える加速度にて動かすという簡易な操作を行うことにより、選択決定操作により実行される機能の初期画面を、表示切換順序に従って順次表示させることができる。
【００２８】
本発明の移動通信端末装置は、前記運動検出手段では前記移動通信端末装置の姿勢を検出し、前記運動条件は、前記運動検出手段において検出された姿勢が、所定姿勢範囲の内側から外側に変化したことである、とすることができる。
【００２９】
この場合には、運動検出手段は、移動通信端末装置の姿勢を検出する。引き続き、判定手段は、当該検出された姿勢が所定姿勢範囲の内側から外側に変化したことが検出されたか否かを判定する。当該判定の結果が肯定的であった場合には、機能選択制御手段が、特定機能選択可能状態を維持しつつ、表示切換順序に従って、特定機能群における次の候補機能が実行された場合の初期画面を表示させる。よって、利用者は、移動通信端末装置の姿勢を所定姿勢範囲の内側から外側に変化させるという簡易な操作を行うことにより、選択決定操作により実行される機能の初期画面を、表示切換順序に従って順次表示させることができる。
【００３０】
前記表示切換手段の前記運動条件には、複数の条件が含まれ、前記複数の条件ごとに表示切換順序が定められている、とすることができる。この場合には、様々な表示順序で、選択決定操作により実行される機能の初期画面を、順次表示させることができる。
【００３１】
ここで、前記運動条件に含まれる前記複数の条件は、第１方向に関する前記移動通信端末装置の加速度の大きさが所定値を上回ることである第１条件と、前記第１方向の逆方向である第２方向に関する前記移動通信端末装置の加速度の大きさが前記所定値を上回ることである第２条件とを含み、前記第１条件に対応して定められた表示切換順序は、前記第２条件に対応して定められた表示切換順序と逆の順序である、とすることができる。
【００３２】
また、前記運動条件に含まれる前記複数の条件は、第１回転方向について前記移動通信端末装置の姿勢が所定姿勢範囲の内側から所定姿勢範囲の外側に変化したことである第１条件と、前記第１回転方向の逆方向である第２回転方向について前記移動通信端末装置の姿勢が所定姿勢範囲の内側から外側に変化したことである第２条件とを含み、前記第１条件に対応して定められた表示切換順序は、前記第２条件に対応して定められた表示切換順序と逆の順序である、とすることができる。
【００３３】
こうした場合には、例えば、第１条件を満たす操作を繰り返した結果、所望の機能を通り過ぎてしまった場合、第２条件を満たす操作を行うことにより、迅速に所望の機能を選択することができる。
【００３４】
本発明の移動通信端末装置は、操作情報を入力するための複数のキーを有するキー入力手段を更に備え、前記実行機能選択操作には、前記キー入力手段を利用したキー入力操作が含まれる、とすることができる。
【００３５】
この場合には、特定機能選択可能状態において、特定機能群内の特定候補機能が実行された場合の初期画面の表示中に、実行機能選択操作として、キー入力手段を利用したキー入力操作を行うことにより、当該特定候補機能が実行機能として選択され、特定機能選択可能状態が解除される。したがって、利用者は、当該初期画面の表示中にキー入力操作を行うことにより、そのまま当該機能の実行を開始することができる。
【発明の効果】
【００３６】
以上説明したように、本発明の実行機能選択方法によれば、移動通信端末装置における実行機能の選択を簡易に行うことができるという効果を奏する。
【００３７】
また、本発明の移動通信端末装置によれば、実行機能の選択を簡易に行うことができるという効果を奏する。
【発明を実施するための最良の形態】
【００３８】
[第１実施形態]
以下、本発明の第１実施形態を、図１〜図８を参照しつつ説明する。なお、これらの図においては、同一又は同等の要素には同一の符号を付し、重複する説明を省略する。
【００３９】
＜構成＞
図１には、移動通信端末装置である携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００４０】
図１（Ａ）、図１（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図２参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。なお、携帯電話装置１０については、図１に示されるようにＸ軸、Ｙ軸及びＺ軸で表される固有のＸＹＺ座標系が定義されている。
【００４１】
携帯電話本体１１の内部には、図２に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３とを備えている。また、携帯電話本体１１の内部には、（iv）携帯電話装置１０の姿勢角及び携帯電話装置１０に作用する加速度を計測するセンサユニット２５を備えている。ここで、記憶部２３内には、一時記憶領域２４Ｔと、機能配列記憶領域２４Ｆとが用意されている。なお、一時記憶領域２４Ｔ及び機能配列記憶領域２４Ｆは、書込み及び読出しが可能な領域となっている。
【００４２】
制御部２１は、中央処理装置（ＣＰＵ）、デジタル信号処理装置（ＤＳＰ）等を備えており、一般的な携帯電話機能を実現するために、様々なデータ処理を行うとともに、上述した他の構成要素の動作制御を行うようになっている。この制御部２１において実行されるプログラムには、図３に示される計測データ収集処理部３１と、機能選択アプリケーション３２Ａと、機能選択アプリケーション３２Ａによる機能選択の対象となり得る機能に対応するアプリケーション（以下、「機能アプリケーション」とも呼ぶ）３８1，３８2，…，３８Nから成るアプリケーション群３７とが含まれている。
【００４３】
計測データ収集処理部３１は、機能選択アプリケーション３２Ａからのコマンドを処理するとともに、センサユニット２５の計測動作の制御を行う。また、計測データ収集処理部３１は、センサユニット２５からの計測生データのうち、機能選択アプリケーション３２Ａから指定された収集データ条件を満たす計測データを収集し、後述する一時記憶領域２４Ｔに格納する。そして、計測データ収集処理部３１は、一時記憶領域２４Ｔに記憶されている計測データのうち、機能選択アプリケーション３２Ａから指定された通知データ条件を満たす計測データを機能選択アプリケーション３２Ａへ報告する。
【００４４】
なお、計測データ収集処理部３１は、予め測定されたオフセット補正用の情報、及び、オフセット補正後のデータから角度や加速度といった物理量を直接的に反映したデータに変換するための物理量変換用情報を有している。そして、計測データ収集処理部３１は、は、センサユニット２５からの計測生データに対してオフセット補正及び物理量変換を順次施して、計測データを算出するようになっている。
【００４５】
機能選択アプリケーション３２Ａは、判定手段としての加速度データ処理部３３Ａと、機能選択制御手段としての機能選択部３６Ａとを備えている。なお、機能選択アプリケーション３２Ａは、携帯電話装置１０が、予め定められた動作状態、例えば、初期状態である待受画面表示状態等になると、自動的に実行が開始される。
【００４６】
以上の機能選択アプリケーション３２Ａの構成要素３３Ａ，３６Ａについての説明に先立って、機能選択アプリケーション３２Ａで採用する携帯電話装置１０の右加速状態、左加速状態及び非加速状態について説明する。これらの右加速状態、左加速状態及び非加速状態は、図４に示されるように、携帯電話装置１０がＸＹ基準姿勢にあるときのＸＹ基準座標系ＸSＹSＺSにおけるＸS軸方向の携帯電話装置１０の加速度に対応して定義されている。まず、携帯電話装置１０のＸS軸に沿った加速度αXの大きさが所定値α0を超えた場合が加速状態とされている。更に、加速状態である場合においては、加速度αXの方向が＋ＸS方向である場合が、右加速状態と定義されている。また、加速度αXの方向が−ＸS方向である場合が、左加速状態と定義されている。そして、右加速状態でも左加速状態でもない場合が、非加速状態と定義されている。
【００４７】
なお、所定値α0は、機能選択アプリケーション３２Ａの設計者により予め定められる。本実施形態では、重力加速度をｇ（ｍ／ｓ2）として、所定値α0が２ｇ（ｍ／ｓ2）に定められている。また、本実施形態では、ＸSＹS面が水平面となるようになっている。
【００４８】
加速度データ処理部３３Ａは、計測データ収集処理部３１からのデータに基づいて、携帯電話装置１０のＸS軸方向の加速度αxを算出する。引き続き、加速度データ処理部Ａは検出された加速度αxの大きさに基づいて、携帯電話装置１０が非加速状態から加速状態になったことを検出する。携帯電話装置１０が加速状態になった場合には、加速度データ処理部３３Ａは、更に、加速度αxの方向に基づいて、右加速状態又は左加速状態のいずれになったかを検出する。このようにして得られた加速度データ処理部３３Ａによる検出結果は、機能選択部３６Ａへ報告される。
【００４９】
機能選択部３６Ａは、加速度データ処理部３３Ａによる検出結果に基づいて、表示部１３の表示画像の切換処理を行う。この表示画像切換に際して、機能選択部３６Ａは、後述する機能配列記憶領域２４Ｆに記憶されている機能配列情報を参照し、検出された加速状態に対応して定められている表示切換順序にて、各候補機能に対応するアプリケーション群３７内の機能アプリケーションの実行開始時における初期画面を表示部１３に表示させる。また、機能選択部３６Ａは、候補機能に対応するアプリケーションの実行開始時における初期画面の表示部１３への表示中に、操作部１２においてキー入力操作が行われた場合には、機能選択アプリケーション３２Ａの動作を終了させる。
【００５０】
図２に戻り、記憶部２３は、その内部に、一時記憶領域２４Ｔと、機能配列記憶領域２４Ｆとを含んでいる。ここで、一時記憶領域２４Ｔには、センサユニット２５から収集した計測データが一時的に記憶される。
【００５１】
また、機能配列記憶領域２４Ｆには、図５に示されるように、機能選択アプリケーション３２Ａによって選択され得る候補機能である機能ＦＳ１，ＦＳ２，…，ＦＳＮに関する加速度αxの方向に対応した表示切換順序が記憶されている。ここで、加速度αxの方向が＋ＸS方向と−ＸS方向とでは、表示切換順序が真逆に設定されている。例えば、加速度の方向が＋ＸS方向である場合は、表示切換順序は、「ＦＳ１→ＦＳ２→…→ＦＳＮ→ＦＳ１」に設定されており、加速度の方向が−ＸS軸方向である場合は、表示切換順序は「ＦＳ１→ＦＳＮ→…→ＦＳ２→ＦＳ１→ＦＳＮ」に設定される。
【００５２】
機能配列記憶領域２４Ｆに登録される候補機能である機能ＦＳ１，ＦＳ２，…，ＦＳＮは、当初は既定のものとなっているが、利用者が、登録されている機能を削除したり、新たな機能を追加したりすることができる。また、表示切換順序は、当初は、既定順序となっているが、利用者が変更できるようになっている。更に、機能選択アプリケーション３２Ａは、機能選択アプリケーション３２Ａを利用した機能選択の回数を候補機能ごとに集計し、定期的に、使用頻度の高いもの順に順方向順序を変更するようになっている。
【００５３】
なお、機能選択アプリケーション３２Ａが自動的に実行が開始される状態で同時に実行されるアプリケーションの機能（図５においては、待受画面表示のアプリケーションの機能である「待受け」）がＦＳ１とされている。また、以下の説明においては、加速度αxの方向が＋ＸS方向の場合に設定される表示切換順序を「順方向順序」と呼び、加速度αxの方向が−ＸS方向の場合に設定される表示切換順序を「逆方向順序」と呼ぶものとする。
【００５４】
センサユニット２５は、携帯電話装置１０に作用する加速度を検知し、アナログ電圧信号として出力するセンサ部２６と、センサ部２６から電圧信号の電圧値をデジタル値に変換するアナログデジタル（Ａ／Ｄ）変換器２７とを備えている。そして、Ａ／Ｄ変換器２７から出力されるデジタルデータが、計測データとして制御部２１へ通知される。また、センサユニット２５は、制御部２１からの計測開始指令により動作を開始し、制御部２１からの計測停止指令により動作を停止するようになっている。
【００５５】
センサ部２６は、ＸＹ面が水平面であり、Ｙ方向が真北方向となるＸＹＺ基準姿勢であるＸＹＺ基準座標系ＸCＹCＺCにおける携帯電話装置１０のＸC軸回りの回転角（ピッチ角θX）、ＹC軸回りの回転角（ロール角θY）及びＺC軸回りの回転角（ヨー角θZ）を検知する。また、センサ部２６は、Ｘ方向の加速度（αX）、Ｙ方向の加速度（αY）及びＺ方向の加速度（αZ）を検知する。そして、センサユニット２５は、各計測時点において検知されたピッチ角θX、ロール角θY、ヨー角θZ、Ｘ方向加速度αX、Ｙ方向加速度αY及びＺ方向の加速度αZを１組にし、計測生データとして制御部２１へ通知するようになっている。
【００５６】
＜動作＞
次に、以上のように構成された携帯電話装置１０における機能選択処理に際して、機能選択アプリケーション３２Ａが行う処理に主に着目して説明する。
【００５７】
機能選択アプリケーション３２Ａは、上述のように、携帯電話装置１０が、予め定められた動作状態、例えば、初期状態である待受画面表示状態等になると、自動的に実行が開始される。こうして機能選択アプリケーション３２Ａの実行が開始されると、図６に示されるように、機能選択アプリケーション３２Ａは、まずステップＳ１１において、計測開始指令を計測データ収集処理部３１に対して発行する。この計測開始指令を受けた計測データ収集処理部３１は、センサユニット２５に動作開始指令を送る。この結果、センサユニット２５は動作を開始し、計測生データを定期的に制御部２１へ送る動作を開始する。この後、制御部２１では、計測データ収集処理部３１が、計測生データを受け、オフセット補正やゲイン補正をした後、収集データ条件を満たす計測データを一時記憶領域２４Ｔに格納する動作を開始する。
【００５８】
次に、ステップＳ１２において、機能選択部３６Ａが、操作部１２におけるキー押下による入力がなされたか否かを判定する。この判定の結果が肯定的であった場合（ステップＳ１２：Ｙ）には、機能選択部３６Ａは、実行機能の選択がなされたと判断し、選択された機能の利用回数をインクリメントする。そして、各候補機能に関する利用回数の集計（すなわち使用頻度）の多い機能の順に、機能配列記憶領域２４Ｆにおける順方向順序を変更する。
【００５９】
この後、処理はステップＳ１６へ進む。このステップＳ１６では、機能選択アプリケーション３２Ａが、計測終了指令を計測データ収集処理部３１に対して発行する。そして、機能選択アプリケーション３２Ａの処理の実行が終了する。
【００６０】
なお、計測終了指令を受けた計測データ収集処理部３１は、センサユニット２５に動作終了指令を送る。この結果、センサユニット２５は動作を終了する。また、キー入力データは、機能選択アプリケーション３２Ａと同時に実行されていた機能アプリケーションに通知され、この通知を受けた当該機能アプリケーションは、キー入力データに対応する処理を行う。
【００６１】
ステップＳ１２における判定の結果が否定的であった場合（ステップＳ１２：Ｎ）には、処理はステップＳ１３Ａへ進む。このステップＳ１３Ａでは、機能選択アプリケーション３２Ａの加速度データ処理部３３Ａが、携帯電話装置１０の加速状態を検出する。かかる加速状態の検出に際して、加速度データ処理部３３Ａは、まず、計測データ収集処理部３１に対して計測データ要求を発行する。この計測データ要求を受けた計測データ収集処理部３１は、一時記憶領域２４Ｔに格納されている計測データを加速度データ処理部３３Ａに報告する。引き続き、加速度データ処理部３３Ａは、報告された計測データに基づいて、携帯電話装置１０の加速度αxを算出する。
【００６２】
次いで、ステップＳ１４Ａにおいて、加速度データ処理部３３Ａは、算出された加速度αxの大きさに基づいて、携帯電話装置１０が非加速状態から加速状態になったか否かを判定する。この判定の結果が否定的であった場合（ステップＳ１４Ａ：Ｎ）には、処理はステップＳ１２に戻る。この後、ステップＳ１２における判定の結果が肯定的となるか、ステップＳ１４Ａにおける判定の結果が肯定的となるまで、上記のステップＳ１２〜１４Ａの処理を繰り返す。
【００６３】
ステップＳ１４Ａにおける判定の結果が肯定的であった場合（ステップＳ１４Ａ：Ｙ）には、加速度データ処理部３３Ａは、加速度αxの方向に基づき、右加速状態及び左加速状態のいずれになったかを検出する。このようにして得られた加速度データ処理部３３Ａによる検出結果は、機能選択部３６Ａへ報告される。この後、処理はステップＳ１５Ａへ進む。
【００６４】
ステップＳ１５Ａでは、機能選択アプリケーション３２Ａによる表示部１３への表示切換処理が行われる。この表示切換処理では、図７に示されるように、まず、ステップＳ２１Ａにおいて、機能選択部３６Ａが、携帯電話装置１０が右加速状態であることが報告されたか否かを判定する。この判定の結果が肯定的であった場合（ステップＳ２１Ａ：Ｙ）には、処理はステップＳ２２へ進む。このステップＳ２２では、機能選択部３６Ａが、現時点において初期画面が表示されている候補機能の順方向順序における次の機能を、キー入力により選択決定がなされる候補機能として選択する。そして処理がステップＳ２４へ進む。
【００６５】
ステップＳ２１Ａにおける判定が否定的であった場合（ステップＳ２１Ａ：Ｎ）は、処理はステップＳ２３Ａへ進む。このステップＳ２３では、機能選択部３６Ａが、現時点において初期画面が表示されている候補機能の逆方向順序における次の機能を、キー入力により選択決定がなされる候補機能として選択する。そして処理がステップＳ２４へ進む。
【００６６】
ステップＳ２４では、機能選択部３６Ａが、まず、現在実行されている機能アプリケーションを停止させる。引き続き、機能選択部３６Ａは、ステップＳ２２又はステップＳ２３において選択された候補機能に対応するアプリケーション群３７内の機能アプリケーションを起動する。この結果、表示部１３の表示画面が、新たに起動された機能アプリケーションの初期画面に切り換わる。このようにして表示の切り換えが終了すると、ステップＳ１５Ａの処理が終了し、処理は図６のステップＳ１２へ進む。
【００６７】
以後、ステップＳ１２における判定の結果が肯定的となるまで、上記のステップＳ１２〜Ｓ１５の処理が繰り返される。
【００６８】
こうしてステップＳ１２〜Ｓ１５までの処理を繰り返す場合における、表示切換の例が図８に示されている。ここで、図８（Ａ）には、図５における機能ＦＳ２の実行時の初期画面が示されている。また、図８（Ｂ）には、図５における、順方向順序において機能ＦＳ２の次の機能に当たる機能ＦＳ３の実行時の初期画面が示されている。
【００６９】
例えば、ある時点で、図６におけるステップＳ１５Ａにおいて、図８（Ａ）の表示に切り換えられたとする。引き続き、ステップＳ１２において、キー入力がされたことが検出されないまま、ステップ１４において右加速状態となったことが検出されたとする。こうした場合には、表示部１３における表示は、図８（Ａ）から図８（Ｂ）に切り換えられる。
【００７０】
こうして図８（Ｂ）の表示がなされている状態で、ステップＳ１２において、キー入力がされたことが検出されないまま、ステップ１４において左加速状態となったことが検出されたとする。こうした場合には、表示部１３における表示は、図８（Ｂ）から図８（Ａ）に切り換えられる。
【００７１】
以上説明したように、本実施形態では、センサユニット２５による検出結果に基づいて、機能選択アプリケーション３２Ａの加速度データ処理部３３Ａが携帯電話装置１０の加速度αxを算出する。引き続き、加速度データ処理部３３Ａは、算出された加速度αxに基づいて、携帯電話装置１０が非加速状態又は加速状態のいずれに該当しているかを検出する。こうした検出結果を受けた機能選択アプリケーション３２Ａの機能選択部３６Ａは、加速度データ処理部３３Ａによる検出結果に基づいて、表示部１３の表示画像の切換処理を行う。この表示画像切換に際して、機能選択部３６Ａは、機能配列記憶領域２４Ｆに記憶されている機能配列情報を参照し、定められている表示切換順序にて、候補機能の実行開始時の初期画面を表示部１３に表示させる。
【００７２】
そして、機能制御部３６Ａが、上記候補機能の実行開始時の初期画面が表示部１３に表示された状態であるときに、キー入力という初期画面が表示されている候補機能を実行機能として選択する操作を検出した場合には、機能選択アプリケーション３２Ａの処理が終了する。したがって、本実施形態によれば、携帯電話装置１０における実行機能の選択を簡易に行うことができる。
【００７３】
また、本実施形態では、加速度データ処理部３３Ａでは、算出された加速度により、携帯電話装置１０が右加速状態又は左加速状態のいずれであるかを検出する。続いて、機能選択部３６Ａが、右加速状態又は左加速状態に対応して互いに逆の順序に定められている表示切換順序にて、候補機能の実行開始時の初期画面を表示部１３に表示させる。このため、こうした場合には、例えば、右加速状態とする操作を繰り返した結果、所望の機能を通り過ぎてしまった場合、左加速状態とする操作を行うことにより、迅速に所望の機能を選択することができる。
【００７４】
また、本実施形態では、実行機能を選択決定する操作として、実行機能、すなわちアプリケーション３８j（j＝１，２，…，Ｎ）の動作に対応したキー入力操作が行われることを採用している。よって、利用者は、初期画面が表示されている候補機能が所望の機能である場合に、キー入力操作という非常に簡易な操作を行うことにより、実行機能を選択することができる。
【００７５】
また、本実施形態では、機能選択アプリケーション３２Ａが各候補機能の使用頻度に応じて、表示切換順序を変更する。このため、所望の実行機能の選択までの平均的な時間を短縮することができる。
【００７６】
[第２実施形態]
以下、本発明の第２実施形態を、図９〜図１２を参照しつつ説明する。なお、第１実施形態の場合と同一又は同等の要素には同一の符号を付し、重複する説明を省略する。
【００７７】
＜構成＞
本実施形態の携帯電話装置１０は、第１実施形態と比較すると、機能選択アプリケーション３２Ａの代わりに機能選択アプリケーション３２Ｂ（図９参照）を備える点のみが異なっている。この機能選択アプリケーション３２Ｂは、第１実施形態における機能選択アプリケーション３２Ａと比較すると、図９に示されるように、加速度データ処理部３３Ａの代わりに姿勢データ処理部３３Ｂを備えるとともに、機能選択部３６Ａの代わりに機能選択部３６Ｂを備える点のみが異なっている。以下、かかる第１実施形態との相違点に主に着目して説明する。
【００７８】
以上の機能選択アプリケーション３２Ｂの構成要素３３Ｂ，３６Ｂについての説明に先立って、機能選択アプリケーション３２Ｂで採用する携帯電話装置１０の回転状態及び非回転状態、並びに回転状態における右回転状態及び左回転状態について説明する。回転状態及び非回転状態は、図１０に示されるように、携帯電話装置１０がＸＹ基準姿勢にあるときのＸＹ基準座標系ＸSＹSＺSにおけるＹS軸回りの携帯電話装置１０の回転角に対応して定義されている。すなわち、携帯電話装置１０のＹS軸回りの回転角θY（以下、「傾き角θY」とも呼ぶものとする）が右回り又は左回りに角度θY0以上９０°以下の場合が、回転状態と定義されている。そして、回転状態ではない場合が、非回転状態と定義されている。また、携帯電話装置１０のＹS軸回りの回転角θYが右回りに角度θY0以上９０°以下の場合が、右回転状態と定義されている。また、携帯電話装置１０のＹS軸回りの回転角θYが左回りに角度θY0以上９０°未満の場合が、左回転状態と定義されている。
【００７９】
なお、角度θY0は、機能選択アプリケーション３２Ｂの設計者により予め定められる。本実施形態では、角度θY0は１０°に定められている。また、本実施形態では、ＸSＹS面が水平面となるようになっている。
【００８０】
姿勢データ処理部３３Ｂは、計測データ収集処理部３１からのデータに基づいて、携帯電話装置１０の傾き角θYを算出する。引き続き、姿勢データ処理部３３Ｂは、算出された傾き角θYに基づいて、携帯電話装置１０が非回転状態から回転状態になったことを検出する。そして、携帯電話装置１０が回転状態になった場合には、姿勢データ処理部３３Ｂは、更に、回転角θYの方向に基づいて、右回転状態又は左回転状態のいずれになったかを検出する。こうして得られた姿勢データ処理部３３Ｂによる検出結果は、表示制御部３４Ｂへ報告される。
【００８１】
機能選択部３６Ｂは、姿勢データ処理部３３Ｂによる検出結果に基づいて、表示部１３の表示画像の切換処理を行う。この表示画像切換に際して、機能選択部３６Ｂは、機能配列記憶領域２４Ｆに記憶されている機能配列情報を参照し、検出された回転状態に対応して定められている表示切換順序にて、各候補機能に対応するアプリケーション群３７内の機能アプリケーションの実行開始時における初期画面を表示部１３に表示させる。以上の表示切換処理以外については、機能選択部３６Ｂは、第１実施形態における機能選択部３６Ａと同様の処理を実行する。
【００８２】
なお、本実施形態においては、右回転状態になったことが検出された場合の表示切換順序が順方向順序とされ、左回転状態になったことが検出された場合の表示切換順序が逆方向順序とされている。
【００８３】
[動作]
次に、本実施形態における機能選択処理に際して、機能選択アプリケーション３２Ｂが行う処理について、上述の図６及び図７に示される機能選択アプリケーション３２Ａの処理との相違に主に着目して説明する。
【００８４】
機能選択アプリケーション３２Ｂの処理が開始されると、図１１に示されるように、上述の図６の場合と同様にして、ステップＳ１１において、機能選択アプリケーション３２Ｂが、計測開始指令を計測データ収集処理部３１に対して発行する。引き続き、ステップＳ１２において、機能選択部３６Ａが、操作部１２におけるキー押下によるキー入力がなされたか否かを判定する。このステップＳ１２の判定の結果が肯定的（ステップＳ１２：Ｙ）には、図６の場合と同様に、ステップＳ１６の処理が行われた後、機能選択アプリケーション３２Ｂの処理が終了する。
【００８５】
ステップＳ１２の判定の結果が否定的（ステップＳ１２：Ｎ）には、処理はステップＳ１３Ｂへ進む。このステップＳ１３Ｂは、姿勢データ処理部３３Ｂが、携帯電話装置１０の姿勢状態を検出する。かかる姿勢状態の検出に際して、姿勢データ処理部３３Ｂは、まず、計測データ収集処理部３１に対して計測データ要求を発行する。この計測データ要求を受けた計測データ収集処理部３１は、一時記憶領域２４Ｔに格納されている計測データを姿勢データ処理部３３Ｂに報告する。引き続き、姿勢データ処理部３３Ｂは、報告された計測データに基づいて、携帯電話装置１０のＹS軸回りの回転角θYを算出する。
【００８６】
次いで、ステップＳ１４Ｂにおいて、姿勢データ処理部３３Ｂは、算出された回転角θYの大きさに基づいて、携帯電話装置１０が非回転状態から回転状態になったか否かを判定する。この判定の結果が否定的であった場合（ステップＳ１４Ｂ：Ｎ）には、処理はステップＳ１２に戻る。この後、ステップＳ１２における判定の結果が肯定的となるか、ステップＳ１４Ｂにおける判定の結果が肯定的となるまで、上記のステップＳ１２〜１４Ｂの処理を繰り返す。
【００８７】
ステップＳ１４Ｂにおける判定の結果が肯定的であった場合（ステップＳ１４Ｂ：Ｙ）には、姿勢データ処理部３３Ｂは、回転角θYの方向に基づき、右回転状態及び左回転状態のいずれになったかを検出する。このようにして得られた姿勢データ処理部３３Ｂによる検出結果は、機能選択部３６Ｂへ報告される。この後、処理はステップＳ１５Ｂへ進む。
【００８８】
ステップＳ１５Ｂでは、機能選択アプリケーション３２Ｂによる表示部１３への表示切換処理が行われる。この表示切換処理では、図１２に示されるように、まず、ステップＳ２１Ｂにおいて、機能選択部３６Ｂが、携帯電話装置１０が右回転状態であることが報告されたか否かを判定する。この判定の結果が肯定的であった場合（ステップＳ２１Ｂ：Ｙ）には、処理はステップＳ２２へ進む。この後は、第１実施形態の場合におけるステップＳ２２以降と同様の処理が行われる。
【００８９】
ステップＳ２１Ｂにおける判定の結果が否定的であった場合（ステップＳ２１Ｂ：Ｎ）には、処理はステップＳ２３へ進む。この後は、第１実施形態の場合におけるステップＳ２３以降と同様の処理が行われる。
【００９０】
以上説明したように、本実施形態では、センサユニット２５による検出結果に基づいて、機能選択アプリケーション３２Ｂの姿勢データ処理部３３Ｂが携帯電話装置１０の回転角θYを算出する。引き続き、姿勢データ処理部３３Ｂは、算出された回転角θYに基づいて、携帯電話装置１０が非回転状態又は回転状態のいずれに該当しているかを検出する。こうした検出結果を受けた機能選択アプリケーション３２Ｂの機能選択部３６Ｂは、姿勢データ処理部３３Ｂによる検出結果に基づいて、表示部１３の表示画像の切換処理を行う。この表示画像切換に際して、機能選択部３６Ｂは、機能配列記憶領域２４Ｆに記憶されている機能配列情報を参照し、定められている表示切換順序にて、候補機能の実行開始時の初期画面を表示部１３に表示させる。
【００９１】
そして、機能制御部３５Ｂが、上記候補機能の実行開始時の初期画面が表示部１３に表示された状態であるときに、キー入力という初期画面が表示されている候補機能を実行機能として選択する操作を検出した場合には、機能選択アプリケーション３２Ｂの処理が終了する。したがって、本実施形態によれば、上述の第１実施形態の場合と同様に、携帯電話装置１０における実行機能の選択を簡易に行うことができる。
【００９２】
また、本実施形態では、加速度データ処理部３３Ａでは、算出された回転角により、携帯電話装置１０が右回転状態又は左回転状態のいずれであるかを検出する。続いて、機能選択部３６Ｂが、右回転状態又は左回転状態に対応して互いに逆の順序に定められている表示切換順序にて、候補機能の実行開始時の初期画面を表示部１３に表示させる。このため、例えば、右回転状態とする操作を繰り返した結果、所望の機能を通り過ぎてしまった場合、左回転状態とする操作を行うことにより、迅速に所望の機能を選択することができる。
【００９３】
また、本実施形態では、上述の第１実施形態の場合と同様に、実行機能を選択決定する操作として、実行機能、すなわちアプリケーション３８j（j＝１，２，…，Ｎ）の動作に対応したキー入力操作が行われることを採用している。よって、利用者は、初期画面が表示されている候補機能が所望の機能である場合に、キー入力操作という非常に簡易な操作を行うことにより、実行機能を選択することができる。
【００９４】
また、本実施形態では、上述の第１実施形態の場合と同様に、機能選択アプリケーション３２Ｂが各候補機能の使用頻度に応じて、表示切換順序を変更する。このため、所望の実行機能の選択までの平均的な時間を短縮することができる。
【００９５】
[実施形態の変形]
本発明の実施形態では様々な変形が可能である。
【００９６】
上記の第１実施形態では、加速度α0の大きさを２ｇ（ｍ／ｓ2）としたが、任意の値とすることができる。
【００９７】
また、上記の第１及び第２実施形態では、実行機能の選択がなされる都度に、選択された機能の利用回数をインクリメントし、各候補機能に関する利用回数の集計が多い機能順に、機能配列記憶領域２４Ｆにおける順方向順序を変更するとした。ここで、当該変更が行われるのは、一定の時間の経過によるタイミングであるとしてもよく、各候補機能に関する利用回数の合計が一定値を超えたタイミングであるとしてもよい。
【００９８】
また、上記の第１実施形態では、携帯電話装置１０のＸs軸方向の加速度の大きさが所定値を超えていた場合に表示の切り換えを行うようにした。これに対し、携帯電話装置１０のＹs軸方向又はＺs軸方向の加速度の大きさに対応して、表示を切り換えるようにすることもできる。
【００９９】
また、上記の第２実施形態では、携帯電話装置１０のＹS軸回りの回転角に対応して回転状態を検出し、表示の切り替えを行うようにした。これに対し、携帯電話装置１０のＸS軸回り又はＺS軸回りの回転角に対応して、表示を切り換えるようにすることもできる。
【０１００】
また、上記の第１実施形態及び第２実施形態では、本発明を携帯電話装置に適用したが、携帯電話装置以外の移動通信端末装置に本発明を適用することができるのは、勿論である。
【産業上の利用可能性】
【０１０１】
以上説明したように、本発明の実行機能選択方法は、移動通信端末装置における実行機能の選択に適用することができる。また、本発明の移動通信端末装置は、実行機能の選択を行う移動通信端末に適用することができる。
【図面の簡単な説明】
【０１０２】
【図１】本発明の一実施形態に係る携帯電話装置の外観構成を概略的に示す図である。
【図２】図１の装置の内部構成を説明するためのブロック図である。
【図３】図２の制御部で動作するソフトウェアの構成を概略的に示す図である。
【図４】図３の機能選択アプリケーションで定義されている加速状態を説明するための図である。
【図５】図３の機能配列記憶領域の内容を説明するための図である。
【図６】図３の機能選択アプリケーションによる機能選択処理を説明するためのフローチャートである。
【図７】図６における表示切換処理を説明するためのフローチャートである。
【図８】図３の機能選択アプリケーションによる表示切換処理による表示切換の例である。
【図９】第２実施形態におけるソフトウェアの構成を概略的に示す図である。
【図１０】図９の機能選択アプリケーションで定義されている回転状態を説明するための図である。
【図１１】図９の機能選択アプリケーションによる機能選択処理を説明するためのフローチャートである。
【図１２】図１１における表示切換処理を説明するためのフローチャートである。
【符号の説明】
【０１０３】
１０…携帯電話装置（移動通信端末装置）、１１…携帯電話本体、１２…操作部、１３…表示部（表示手段）、１４…通話用スピーカ、１５…マイクロフォン、１６…案内用スピーカ、１７…アンテナ、２１…制御部、２２…送受信部、２３…記憶部、２４Ｆ…機能配列記憶領域、２４Ｔ…一時記憶領域、２５…センサユニット（運動検出手段）、２６…センサ部、２７…アナログデジタル変換器、３１…計測データ収集処理部、３２Ａ、３２Ｂ…機能選択アプリケーション、３３Ａ…加速度データ処理部（判定手段）、３３Ｂ…姿勢データ処理部（判定手段）、３６Ａ、３６Ｂ…機能選択部（機能選択制御部）、３７…アプリケーション群、３８…機能アプリケーション。
【図１】
2008010933.tif 000003
【図２】
2008010933.tif 000004
【図３】
2008010933.tif 000005
【図４】
2008010933.tif 000006
【図５】
2008010933.tif 000007
【図６】
2008010933.tif 000008
【図７】
2008010933.tif 000009
【図８】
2008010933.tif 000010
【図９】
2008010933.tif 000011
【図１０】
2008010933.tif 000012
【図１１】
2008010933.tif 000013
【図１２】
2008010933.tif 000014